(57)【要約】【課題】表示体の送りを良好にして、当該表示体のパターンを適した位置に移動する。【解決手段】自動販売機の庫内に収納した商品に係る情報をあらわす各パターンを有した帯体を無端状にした表示体１９と、表示体１９を架け渡した形態としてパターンを移動する態様で当該表示体１９を送る駆動手段２０とを有した商品表示装置であって、駆動手段２０の駆動部２０Ａにおいて表示体１９と係合して当該表示体１９を送る駆動プーリ２３と、表示体１９の穴部１９ａ（および検出用穴部１９ｂ）との係合を保持する駆動案内部４０を備える。【選択図】      図５
2004234358.tif 000002
【特許請求の範囲】
【請求項１】
自動販売機の庫内に収納した商品に係る情報をあらわす各パターンを有した帯体をなす表示体と、前記表示体を架け渡した形態として前記パターンが移動する態様で当該表示体を送る駆動手段とを有した自動販売機の商品表示装置であって、
前記駆動手段による前記表示体の送りを案内する案内手段を備えたことを特徴とする自動販売機の商品表示装置。
【請求項２】
前記駆動手段は前記表示体と係合して当該表示体を送る駆動体を有し、前記案内手段は前記駆動体に対する前記表示体の係合を保持する駆動案内部を有したことを特徴とする請求項１に記載の自動販売機の商品表示装置。
【請求項３】
前記表示体の送り位置を検出する検出手段を有し、前記案内手段は前記検出手段と当該検出手段が検出すべき前記表示体の部位との係合を保持する検出案内部を有したことを特徴とする請求項１または２に記載の自動販売機の商品表示装置。
【請求項４】
前記案内手段は前記表示体の送り方向から外れる移動を規制する送り案内部を有したことを特徴とする請求項１〜３のいずれか１つに記載の自動販売機の商品表示装置。
【発明の詳細な説明】
【０００１】
【発明の属する技術分野】
本発明は、缶、瓶、ペットボトルなどの商品を庫内に保存して販売する自動販売機において、例えば、商品の冷温状態などの情報を表示する自動販売機の商品表示装置に関するものである。
【０００２】
【従来の技術】
自動販売機の商品表示装置として、自動販売機に収納した商品の冷蔵・温蔵状態に合わせて商品に係る情報である冷温表示を行うものが知られている。この種の商品表示装置は、無端ベルトの外表面に「ＣＯＬＤ」の表示の領域と、「ＨＯＴ」の表示の領域とを設けてある。そして、この無端ベルトを両端のプーリに張架し、プーリを駆動することで前記表示を切り替えるようにしてある。また、無端ベルトは、複数の商品選択ボタンの列に対応して横に長く形成してある（例えば、特許文献１参照）。
【０００３】
【特許文献１】
実開平２−２３７８６号公報
【０００４】
【発明が解決しようとする課題】
しかしながら、従来の商品表示装置では、無端ベルトが複数の商品選択ボタンの列に対応して横に長く形成してあるので、両端のプーリに係合していない長い部分が上下方向に移動するおそれがある。このため、プーリと無端ベルトとの係合が損なわれ、プーリの駆動に応じた無端ベルトの移動を阻害して当該無端ベルトの表示を所望とする位置に移動させることが困難となってしまう。
【０００５】
また、自動販売機の冷温販売モードの切り替えは、一般的に季節の変わり目など約半年ごとに行われている。すなわち、商品表示装置での冷温表示の切り替えも同じく約半年ごとに行われる。このため、上述した従来の商品表示装置では、約半年の期間プーリに張架したままとした無端ベルトが、その形態を維持するように癖がつくことになる。このように無端ベルトの癖が生じた部分は、冷温表示の切り替えを行った際に移動したり、プーリに張架した形状を維持しようとする。その結果、プーリと無端ベルトとの係合が損なわれ、プーリの駆動に応じた無端ベルトの移動を阻害して当該無端ベルトの表示を所望とする位置に移動させることが困難となってしまう。
【０００６】
本発明は、上記実情に鑑みて、商品の情報をあらわすパターンを有した帯体をなす表示体を架け渡した形態で送るとき、表示体の送りを良好にして、当該表示体のパターンを適した位置に移動することができる自動販売機の商品表示装置を提供することを目的とする。
【０００７】
【課題を解決するための手段】
上記の目的を達成するために、本発明の請求項１に係る自動販売機の商品表示装置は、自動販売機の庫内に収納した商品に係る情報をあらわす各パターンを有した帯体をなす表示体と、前記表示体を架け渡した形態として前記パターンが移動する態様で当該表示体を送る駆動手段とを有した自動販売機の商品表示装置であって、前記駆動手段による前記表示体の送りを案内する案内手段を備えたことを特徴とする。
【０００８】
また、本発明の請求項２に係る自動販売機の商品表示装置は、上記請求項１において、前記駆動手段は前記表示体と係合して当該表示体を送る駆動体を有し、前記案内手段は前記駆動体に対する前記表示体の係合を保持する駆動案内部を有したことを特徴とする。
【０００９】
また、本発明の請求項３に係る自動販売機の商品表示装置は、上記請求項１または２において、前記表示体の送り位置を検出する検出手段を有し、前記案内手段は前記検出手段と当該検出手段が検出すべき前記表示体の部位との係合を保持する検出案内部を有したことを特徴とする。
【００１０】
また、本発明の請求項４に係る自動販売機の商品表示装置は、上記請求項１〜３のいずれか１つにおいて、前記案内手段は前記表示体の送り方向から外れる移動を規制する送り案内部を有したことを特徴とする。
【００１１】
【発明の実施の形態】
以下に添付図面を参照して、本発明に係る自動販売機の商品表示装置の好適な実施の形態を詳細に説明する。図１は本実施の形態における商品表示装置を備える自動販売機の斜視図である。
【００１２】
図１に示すように、本実施の形態における商品表示装置を備える自動販売機は、本体キャビネット１と外扉２とから主に構成してある。本体キャビネット１は、前面が開放した断熱筐体として形成してある。本体キャビネット１の開放部分は、断熱性の内扉３によって開閉可能としてある。また、図には明示しないが本体キャビネット１の庫内は、断熱性の仕切壁により左右に複数の商品収納室として区分してある。各商品収納室には、例えば、缶、瓶、ペットボトルなどの商品を収納した商品ラックが設けてある。また、各商品収納室の下部には、当該各商品収納室を冷却もしくは加熱して商品ラックに収納した商品を冷蔵・温蔵状態に保存する冷却／加熱ユニットが備えてある。
【００１３】
外扉２は、本体キャビネット１の前面に開閉可能に取り付けてある。外扉２の上部域には、前面が透明板４で覆われたディスプレイ室５が形成してある。また、外扉２の後面には、ディスプレイ室５を開閉可能とする中扉６が形成してある。中扉６の前面であってディスプレイ室５の内側となる部位には、商品表示装置を構成するディスプレイ台７が取り付けてある。ディスプレイ台７は、本体キャビネット１の庫内に収納した商品に対応した複数（本実施の形態では１２個）の商品見本８を左右に一列に並べて載置してある。ディスプレイ台７は、外扉２を中扉６と一体にして、本体キャビネット１に対して閉じた際に、自動販売機の前面から商品見本８とともに透明板４を介して透視できる。なお、図１に示すように、本実施の形態でのディスプレイ台７は、上下方向に複数段（本実施の形態では３段）設けてある。また、透明板４には、各ディスプレイ台７の下方となる位置に商品選択ボタンユニット９が設けてある。商品選択ボタンユニット９は、外扉２の前面に表出し、ディスプレイ台７にある各商品見本８に対応して左右に一列に並べて設けた商品選択ボタン９ａを有している（図３参照）。なお、商品選択ボタンユニット９の下側のディスプレイ室５には、商品広告部１０がある。その他外扉２の前面には、硬貨投入部１１ａの投入口、紙幣投入部１１ｂの投入口、釣銭返却部１１ｃの返却口、商品取出部１１ｄの取出口などや、図示しないが金銭返却レバーおよびロック付ハンドルなど周知の構成が設けてある。
【００１４】
図２（ａ）はディスプレイ台を示す平面図、図２（ｂ）はディスプレイ台を示す正面図、図３は図２（ｂ）のＡ−Ａ線端面拡大図である。ディスプレイ台７は、前面部７ａ、上面部７ｂおよび後面部７ｃを有して下方が開放する断面略コ字形をなし、自動販売機の左右方向に延在して形成してある。このように、ディスプレイ台７は、下方が開放する横長の箱形に形成してある。
【００１５】
図２（ａ）に示すように、ディスプレイ台７の上面部７ｂには、係止穴１５が形成してある。係止穴１５は、上面部７ｂの左右方向に複数（本実施の形態では１２個）並設してあり、それぞれ商品見本８を立設した態様で挿通係止する。また、図２（ｂ）に示すように、前面部７ａには、各係止穴１５の前方位置に対応するように配した複数（本実施の形態では１２個）の透光穴１６が設けてある。また、図３に示すように、後面部７ｃには、切り起こしにより形成した複数（本実施の形態では２個）の係止片１７が設けてある。係止片１７は、その先端が後面部７ｃの後側の下方に向けてあり、中扉６に設けた穴（図示せず）に挿通係止される。これにより、ディスプレイ台７が中扉６に取り付けられる。
【００１６】
また、図２および図３に示すように、前面部７ａ、上面部７ｂおよび後面部７ｃに囲まれたディスプレイ台７の箱内には、左右方向に沿って蛍光灯１８（図中一点鎖線で示す）が設けてある。蛍光灯１８は、ディスプレイ台７の箱内に固定した、左右一対の各ソケット（図示せず）に装着してある。
【００１７】
ディスプレイ台７には、表示体１９が設けてある。図４は表示体を示す斜視図である。図４に示すように、表示体１９は、透光性フィルムからなる帯体を無端状にしてある。表示体１９の外面には、その周方向に沿って自動販売機の商品収納室（図示せず）に収納した商品に係る情報として例えば冷蔵・温蔵状態をあらわすパターンが施してある。本実施の形態において、商品の冷蔵状態をあらわすパターンは、１パターンの単位として白抜きの文字（例えば「つめた〜い」）の背景に寒色の背景色（例えば青色）が印刷してある。また、商品の温蔵状態をあらわすパターンは、１パターンの単位として白抜きの文字（例えば「あったか〜い」）の背景に暖色の背景色（例えば赤色）が印刷してある。なお、本実施の形態では、冷温状態をあらわす複数のパターンと、温蔵状態をあらわす複数のパターンとが図４中二点鎖線で示す境目１９ｃを境にして無端状とした帯体の周方向の略半周分ずつ施してある。
【００１８】
図２および図３に示すように、表示体１９は、ディスプレイ台７の前面部７ａの前側および後面部７ｃの前側を通るようにディスプレイ台７の左右端で折り返して配してある。そして、前面部７ａの前側を通る略半周分の表示体１９の各パターンは、前面部７ａに設けた各透光穴１６の位置に対応する。これにより、表示体１９のパターンは、ディスプレイ台７の係止穴１５に立設した各商品見本８に対応して、各商品見本８の商品の冷蔵・温蔵状態をあらわすことになる。この際、ディスプレイ台７の箱内にある蛍光灯１８の光が透光穴１６を介して透光性フィルムからなる表示体１９を透過することでパターンの文字および背景色が明るく表示される。
【００１９】
なお、上述したように、表示体１９のパターンは、冷温状態をあらわすパターンと、温蔵状態をあらわすパターンとが無端状とした帯体の周方向の略半分ずつに施してある。このため、前面部７ａの前側を通る略半周分の表示体１９は、各商品見本８に対応する全て（１２個）が冷蔵状態のパターンが位置する形態と、全て（１２個）が温蔵状態のパターンが位置する形態と、前面部７ａの前側に冷蔵状態のパターンと温蔵状態のパターンとの境目１９ｃの１つが位置して一側が冷蔵状態のパターンで他側が温蔵状態のパターンとなる形態とを得ることができる。
【００２０】
また、図４に示すように、表示体１９の帯状の下端縁には、周方向に沿って一定間隔をおいて穿孔した複数の穴部１９ａが設けてある。また、穴部１９ａの一部は、長穴として穿孔した検出用穴部１９ｂをなしている。本実施の形態での検出用穴部１９ｂは、隣接する２つの穴部１９ａを繋げて穿孔してなる。
【００２１】
ディスプレイ台７には、駆動手段２０が設けてある。駆動手段２０は、駆動部２０Ａと従動部２０Ｂとからなり、これら駆動部２０Ａと従動部２０Ｂとがディスプレイ台７の左右端にそれぞれ配してある。
【００２２】
図５（ａ）は駆動部を示す平面図、図５（ｂ）は駆動部を示す正面図、図５（ｃ）は駆動部を示す左側面図である。駆動部２０Ａは、本実施の形態ではディスプレイ台７の左端に配してある（図２参照）。図５（ａ）〜（ｃ）に示すように、駆動部２０Ａは、上下に分割形成したカバー２１ａおよびケース２１ｂを基部としている。カバー２１ａは駆動部２０Ａの上部ボディをなし、ケース２１ｂは駆動部２０Ａの下部ボディをなして、これらカバー２１ａおよびケース２１ｂを一体とした形態でディスプレイ台７に固定してある。駆動部２０Ａは、上記カバー２１ａおよびケース２１ｂに対して、主にモータ２２と、駆動体としての駆動プーリ２３と、支持プーリ２４とを設けてなる。
【００２３】
モータ２２は、ケース２１ｂに固定した基板２５に対し、その出力軸２２ａを下方に向けて取り付けてある。また、基板２５には、モータ２２の出力軸２２ａと平行にした駆動軸２６が回動可能に支持してある。また、モータ２２の出力軸２２ａと駆動軸２６とは、基板２５に設けた減速歯車機構２７（図５中一点鎖線で示す）を介して互いに連結してある。
【００２４】
駆動プーリ２３は、円柱状の胴部２３ａの中心に中心軸２３ｂが一体に設けてある。中心軸２３ｂの軸心には、係合穴２３ｃが設けてある。係合穴２３ｃは、駆動軸２６に挿通され、かつ、駆動軸２６に設けたＤカット部２６ａに係合している。また、駆動プーリ２３の中心軸２３ｂの上端は、ケース２１ｂに一体にしたカバー２１ａ側に支持してある。すなわち、モータ２２の駆動によって減速歯車機構２７を介して駆動軸２６が回動し駆動プーリ２３が回動する。また、駆動プーリ２３の胴部２３ａの下端縁には、周方向に沿って一定間隔をおいて突出した複数の突起部２３ｄが設けてある。さらに、駆動プーリ２３の中心軸２３ｂの下端には、検出片２３ｅが径外方向に延設してある。
【００２５】
支持プーリ２４は、駆動プーリ２３と平行になるように円柱棒状の上端をカバー２１ａに、下端をケース２１ｂに回動可能に支持してある。この支持プーリ２４は、駆動プーリ２３の胴部２３ａよりも細径をなし、モータ２２の外側部分に設けてある。なお、本実施の形態では、支持プーリ２４はモータ２２の外側部の２箇所に並設してある。
【００２６】
図６（ａ）は従動部を示す平面図、図６（ｂ）は従動部を示す正面図、図６（ｃ）は従動部を示す右側面図である。従動部２０Ｂは、本実施の形態ではディスプレイ台７の右端に配してある（図２参照）。図６（ａ）〜（ｃ）に示すように、従動部２０Ｂは、ディスプレイ台７に固定した支持体２８を基部としている。支持体２８は、上下水平板２８ａと、各上下水平板２８ａを連結する垂直板２８ｂとにより、正面視（図６（ｂ）参照）で右側に開放する略コ字形をなすように形成してある。従動部２０Ｂは、上記支持体２８に対して主に従動プーリ２９と、テンション機構３０とを設けてなる。
【００２７】
従動プーリ２９は、円柱状の胴部２９ａの中心に中心軸２９ｂが設けてある。胴部２９ａは中心軸２９ｂに対して回動可能としてある。従動プーリ２９は、本実施の形態では一対設けてある。各従動プーリ２９は、それぞれ中心軸２９ｂの上端を上水平板２８ａ側に、下端を下水平板２８ａ側に支持してある。上下水平板２８ａには、各中心軸２９ｂの端部をそれぞれ挿通支持する長穴３１が設けてある。各長穴３１は、左右方向に各々平行に延在してあり、従動プーリ２９を左右方向に移動可能にして支持している。また、上下水平板２８ａには、それぞれ支持板３２が重ねて設けてある。各支持板３２には、それぞれ各従動プーリ２９の中心軸２９ｂの上端および下端が取り付けてあり、各中心軸２９ｂを平行にして支持してある。これにより、一対の従動プーリ２９は、各支持板３２によって互いに平行な関係が維持され、かつ、上下水平板２８ａの長穴３１によって左右方向に移動可能とされる。
【００２８】
テンション機構３０は、上下水平板２８ａの右端縁を折り曲げ形成した立片２８ｃと、各支持板３２の左端縁を折り曲げ形成した立片３２ａとの間にそれぞれ架設した引張りコイルバネからなる。テンション機構３０は、各従動プーリ２９の中心軸２９ｂの上端および下端を常に右方向に引張り付勢する。
【００２９】
上記駆動手段２０には、表示体１９が架け渡して装着してある。図５に示すように、駆動部２０Ａ側には、表示体１９の左端の折り返し部分が巻装してある。表示体１９は、ディスプレイ台７の左側端において駆動プーリ２３の胴部２３ａの外周面および各支持プーリ２４の外周面に接触する態様で巻装してある。この際、表示体１９の穴部１９ａ（および検出用穴部１９ｂ）が、駆動プーリ２３の突起部２３ｄに対して係合する。また、図６に示すように、従動部２０Ｂには、表示体１９の右側の折り返し部分が巻装してある。表示体１９は、ディスプレイ台７の右側端において各従動プーリ２９の外周面に接触する態様で巻装してある。このように、駆動部２０Ａおよび従動部２０Ｂに巻装した表示体１９には、テンション機構３０の引張り力が加わる。これにより、表示体１９全体に弛みがなく、かつ、駆動部２０Ａ側において突起部２３ｄと、穴部１９ａ（および検出用穴部１９ｂ）との係合が適宜維持される。そして、モータ２２の駆動に際し、駆動プーリ２３の回動が表示体１９に伝達されて、当該表示体１９が駆動プーリ２３の廻りに従って周回する。すなわち、表示体１９のパターンが周回送り方向に移動し、商品の商品見本８に対応した表示体１９のパターンが切り替えられることになる。
【００３０】
駆動手段２０によって周回する表示体１９の各パターンの送り位置は、検出手段によって検出する。検出手段は、本実施の形態では、駆動部２０Ａに配置した基準位置検出部３５と回転検出部３６とからなる。
【００３１】
図５に示すように、基準位置検出部３５は、本実施の形態ではマイクロスイッチをなし、駆動部２０Ａのケース２１ｂに設けてある。この基準位置検出部３５は、そのアクチュエータ３５ａを表示体１９の検出用穴部１９ｂにのみ係合する。これにより、表示体１９の周回送りの基準位置を検出する。
【００３２】
また、回転検出部３６は、本実施の形態ではマイクロスイッチをなし、駆動部２０Ａのケース２１ｂに設けてある。この回転検出部３６は、そのアクチュエータ３６ａを駆動プーリ２３の検出片２３ｅに係合する。これにより、回転検出部３６は、駆動プーリ２３の１回転を検出する。なお、本実施の形態では、駆動プーリ２３の回転数が表示体１９の１パターンを移動させる送り量に対応してある。例えば、駆動プーリ２３の１回転が表示体１９の１パターンを移動させる送り量に対応してあれば、回転検出部３６が駆動プーリ２３の１回転を検出すれば表示体１９が１パターン分の送り量移動したことになる。
【００３３】
また、基準位置検出部３５が表示体１９の基準位置を検出した基準位置信号、および回転検出部３６が駆動プーリ２３の１回転を検出した回転信号は、後述の制御手段５０に出力している。
【００３４】
上記構成において、駆動手段２０によって周回送りされる表示体１９は、案内手段によって案内してある。案内手段には、駆動案内部４０、検出案内部４１および送り案内部４２がある。
【００３５】
駆動案内部４０は、駆動部２０Ａに設けてあり、駆動プーリ２３に対する表示体１９の係合を保持するため、駆動部２０Ａに係る表示体１９の上下移動を規制する駆動部上下規制ガイドと、表示体１９を駆動プーリ２３側に導く誘導ガイドとを有している。
【００３６】
図５に示すように、駆動案内部４０の駆動部上下規制ガイドは、駆動部２０Ａの基部をなすカバー２１ａの下面で構成した上端ガイド４０Ａａ、およびケース２１ｂの上面で構成した下端ガイド４０Ａｂからなる。
【００３７】
図５に示すように、駆動案内部４０の誘導ガイドは、カバー２１ａ側に設けた上ガイド４０Ｂａ、およびケース２１ｂ側に設けた下ガイド４０Ｂｂ〜４０Ｂｄを有している。上ガイド４０Ｂａは、カバー２１ａの左側にあって、駆動プーリ２３と支持プーリ２４との間を通る表示体１９の外面に対面するように設けてある。この上ガイド４０Ｂａは、表示体１９の上方に向かうほど表示体１９に近接する斜面４０Ｂａａを有している。また、下ガイド４０Ｂｂは、ケース２１ｂの前側にあって表示体１９の外面に対面するように立設してある。また、下ガイド４０Ｂｃは、ケース２１ｂの左側にあって、駆動プーリ２３と支持プーリ２４との間を通る表示体１９の外面に対面するように立設してある。また、下ガイド４０Ｂｄは、ケース２１ｂの後側にあって表示体１９の外面に対面するように立設してある。
【００３８】
このように構成した駆動案内部４０は、上端ガイド４０Ａａと下端ガイド４０Ａｂとの間で駆動部２０Ａにて送られる表示体１９の上下移動を規制する。さらに、駆動案内部４０は、上ガイド４０Ｂａおよび下ガイド４０Ｂｂ〜４０Ｂｄにより、表示体１９における駆動プーリ２３の径外方向への移動を規制し当該表示体１９を駆動プーリ２３側に導いて、駆動部２０Ａにて送られる表示体１９の穴部１９ａ（および検出用穴部１９ｂ）と駆動プーリ２３の突起部２３ｄとの係合を保持する。特に、上ガイド４０Ｂａは、斜面４０Ｂａａによって表示体１９を駆動プーリ２３側に導くように案内している。
【００３９】
図５に示すように、検出案内部４１は、駆動部２０Ａに設けてあり、基準位置検出部３５のアクチュエータ３５ａと、表示体１９の検出用穴部１９ｂとの係合を保持する板状の保持ガイド（以下検出案内部と同じ符号４１とする）をなしている。この保持ガイド４１は、駆動部２０Ａの基部をなすケース２１ｂの左側にあって、駆動プーリ２３と支持プーリ２４との間を通る表示体１９の内面に対面するように設けてある。また、保持ガイド４１には、アクチュエータ３５ａが挿入し得る挿入穴４１ａを有している。この挿入穴４１ａは、検出用穴部１９ｂと略同じ形状としてあることが好ましい。
【００４０】
このように構成した検出案内部４１は、通常、保持ガイド４１が表示体１９の内面を支持して、当該表示体１９がアクチュエータ３５ａに押されて撓まないように保持することでアクチュエータ３５ａの作動を許容しない。そして、周回送りされた表示体１９の検出用穴部１９ｂが基準位置検出部３５のアクチュエータ３５ａの位置に到達したときに、保持ガイド４１の挿入穴４１ａを介して検出用穴部１９ｂへのアクチュエータ３５ａの係合を保持して当該アクチュエータ３５ａの作動を許容する。これにより、アクチュエータ３５ａの誤作動を防ぐことができる。
【００４１】
送り案内部４２は、ディスプレイ台７および従動部２０Ｂに設けてあり、主に表示体１９の上下移動を規制する送りガイドを有している。
【００４２】
図３に示すように、ディスプレイ台７に設けた送りガイドは、前面部７ａの下端に設けた下端ガイド４２Ａと、上面部７ｂの下面で構成した上端ガイド４２Ｂａおよび後面部７ｃの下側に設けた下端ガイド４２Ｂｂとからなる。前面部７ａの下端ガイド４２Ａは、前面部７ａの下端を前側に折り曲げて延設した水平部分および当該水平部分の前端を上向きにした折り曲げ部分からなる。この下端ガイド４２Ａは、ディスプレイ台７の左右方向に延在して形成してある。また、後面部７ｃの下側に設けた下端ガイド４２Ｂｂは、後面部７ｃの前側に延設した水平部分および当該水平部分の前端を上向きにした折り曲げ部分からなる。この下端ガイド４２Ｂｂは、ディスプレイ台７の左右方向に延在して形成してある。なお、下端ガイド４２Ａをなす水平部分と、下端ガイド４２Ｂｂをなす水平部分は、共に同じ水平面上に位置している。また、図３に示すように、本実施の形態での下端ガイド４２Ｂｂは、後面部７ｃとは別体にして構成してあるが、後面部７ｃと一体にして折り曲げ形成してもよい。
【００４３】
また、図６（ｂ）に示すように、従動部２０Ｂに設けた送りガイドは、従動部２０Ｂの基部をなす支持体２８の上水平板２８ａの下面で構成した上端ガイド４２Ｃａ、および下水平板２８ａの上面で構成した下端ガイド４２Ｃｂからなる。
【００４４】
このように構成した送り案内部４２は、ディスプレイ台７における前面部７ａに設けた下端ガイド４２Ａの水平部分によって表示体１９の下方への移動を規制するとともに、下端ガイド４２Ａの折り曲げ部分によって表示体１９の前方への移動を規制する。さらに、前面部７ａの前面が表示体１９の後方への移動を規制する。特に、前面部７ａの前面および後面部７ｃの前面にある表示体１９は、駆動部２０Ａおよび従動部２０Ｂに係合していない長い部分であるが、この部分の上下方向の移動を規制する。また、送り案内部４２は、ディスプレイ台７における上面部７ｂの上端ガイド４２Ｂａと、後面部７ｃに設けた下端ガイド４２Ｂｂの水平部分との間で表示体１９の上下移動を規制するとともに、下端ガイド４２Ｂｂの折り曲げ部分によって表示体１９の前方への移動を規制する。さらに、後面部７ｃの前面が表示体１９の後方への移動を規制する。また、送り案内部４２は、従動部２０Ｂにおける上端ガイド４２Ｃａと下端ガイド４２Ｃｂとの間で表示体１９の上下移動を規制する。なお、表示体１９の上下移動とは、駆動手段２０によって周回送りされた表示体１９が送り方向から外れる移動であって、当該表示体１９を架け渡す駆動プーリ２３および従動プーリ２９などの軸線方向に沿う方向である。
【００４５】
なお、図３に示すように、ディスプレイ台７の前面部７ａの下端ガイド４２Ａには、表示部材４５が挿通係止してある。表示部材４５は、前面部７ａの左右方向に沿って横長に形成してあり、前面部７ａの前面にある表示体１９のさらに前面を覆うようにして配置してある。この表示部材４５は、透明板からなり、その面に商品見本８の商品に応じた金額表示が印刷してあり、表示体１９のパターンを透過するとともに、そのパターンの例えば下位置に金額表示をあらわしている。
【００４６】
ところで、上述した商品表示装置は、自動販売機の各商品ラックを冷蔵・温蔵状態に切り替えたとき、当該商品の商品見本に対応する冷温パターンを自動的に切り替えるよう制御している。
【００４７】
図７の制御手段を示すブロック図に示すように、商品表示装置の制御手段５０には、自動販売機の庫内における各商品収納室に収納された商品の冷蔵状態もしくは温蔵状態を設定する冷温販売モードの設定信号が入力される。この設定信号は、外扉２の後面に設けた冷温販売モード設定スイッチ（図示せず）の切り替えや、自動販売機の外部のリモートコントローラ（図示せず）からの発信により入力できる。自動販売機の庫内における各商品収納室の冷却／加熱ユニットは、設定信号により制御され、設定信号が「ＣＯＬＤ」の場合には冷却ユニットが作動し、設定信号が「ＨＯＴ」の場合には加熱ユニットが作動する。また、制御手段５０には、駆動手段２０によって周回送りされた表示体１９の基準位置を検出する基準位置検出部３５からの基準位置信号が入力される。さらに、制御手段５０には、表示体１９の１パターンの移動に起因する駆動プーリ２３の１回転を検出する回転検出部３６からの回転信号が入力される。
【００４８】
次に、図８の制御手段の動作を示すフローチャートを用いて制御手段５０の制御手順を説明するとともに、表示体１９のパターンの切り替えについて説明する。
【００４９】
ステップＳ１において設定信号が入力されると、ステップＳ２〜ステップＳ４に進む。ステップＳ２では設定信号に基づいた商品の冷蔵状態もしくは温蔵状態を判別する。ステップＳ３ではディスプレイ台７に載置した商品見本８の商品の冷温状態を表示するため、設定信号に対応して表示体１９の基準位置からの送り量（ここでは駆動プーリ２３の回転数）を演算する。ステップＳ４ではモータ２２を駆動して駆動プーリ２３を介して表示体１９を周回送りする。この表示体１９の周回により、ステップＳ５において基準位置検出部３５からの基準位置信号を検出すると、ステップＳ６に進んでモータ２２を停止する。次いで、ステップＳ７では再びモータ２２を駆動して駆動プーリ２３を介して表示体１９を周回する。この表示体１９の周回により、ステップＳ８においてステップＳ３で演算した表示体１９の送り量に相当する回転検出部３６からの回転信号を検出すると、ステップＳ９に進んでモータ２２を停止する。これにより、冷温販売モードの設定信号により設定した商品の冷蔵状態もしくは温蔵状態に対応してディスプレイ台７の商品見本８の冷温状態が表示体１９のパターンによって表示されることになる。
【００５０】
このように、駆動手段２０によって表示体１９が送られる際、上述した案内手段が駆動手段２０による表示体１９の送りを案内する。具体的に駆動案内部４０では、駆動部２０Ａによって周回送りされた表示体１９の上下移動を規制するとともに、表示体１９を駆動プーリ２３側に導いて、表示体１９の穴部１９ａ（および検出用穴部１９ｂ）と駆動プーリ２３の突起部２３ｄとの係合を保持する。
【００５１】
また、検出案内部４１では、表示体１９の検出用穴部１９ｂと、基準位置検出部３５のアクチュエータ３５ａとの係合を保持してアクチュエータ３５ａの作動を適宜案内する。さらに、検出案内部４１は、表示体１９の検出用穴部１９ｂがアクチュエータ３５ａの位置にないときに、アクチュエータ３５ａの作動を許容せずにアクチュエータ３５ａの誤作動を防ぎ、基準位置検出部３５による検出を安定させる。
【００５２】
また、送り案内部４２では、ディスプレイ台７における前面部７ａの位置、後面部７ｃの位置および従動部２０Ｂの位置を周回する表示体１９の上下移動を主に規制する。すなわち、送り案内部４２は、表示体１９の送り方向から外れる移動を規制する。
【００５３】
したがって、上述した自動販売機の商品表示装置では、案内手段によって、駆動手段２０による表示体１９の送りを良好に行い、当該表示体１９のパターンを適した位置に移動することが可能である。
【００５４】
なお、上述した実施の形態では、モータ２２の駆動によって駆動プーリ２３を自動で駆動する駆動手段２０を有した構成をもとに説明している。その他、図には明示しないが、駆動プーリ２３を手動で駆動する駆動手段であっても上記案内手段による効果を同様に得ることができる。この場合、目視によって表示体１９のパターンの位置を確認することが可能なので検出手段および検出案内部４１を備えなくてもよい。
【００５５】
また、上述した実施の形態では、パターンを有した帯体を無端状とした表示体１９を駆動手段２０に架け渡した構成を例としているが、無端状でない表示体１０を駆動手段２０に架け渡して送る構成であっても上記案内手段による効果を同様に得ることができる。
【００５６】
【発明の効果】
以上説明したように、本発明の請求項１に係る自動販売機の商品表示装置によれば、案内手段が駆動手段による表示体の送りを案内しているので、駆動手段による表示体の送りを良好に行い、当該表示体のパターンを適した位置に移動することができる。
【００５７】
また、本発明の請求項２に係る自動販売機の商品表示装置によれば、駆動案内部が駆動手段の駆動体と表示体との係合を保持しているので、駆動手段に対する表示体の送りにずれが生じることがなく、当該表示体のパターンを適した位置に移動することができる。
【００５８】
また、本発明の請求項３に係る自動販売機の商品表示装置によれば、検出案内部が検出手段と当該検出手段が検出すべき表示体の部位との係合を保持しているので、駆動手段による表示体の送りに際して、当該表示体の送り位置を確実に検出することができる。
【００５９】
また、本発明の請求項４に係る自動販売機の商品表示装置によれば、送り案内部が表示体の送り方向から外れる移動を規制しているので、駆動手段による表示体の送りにずれが生じることがなく、当該表示体のパターンを適した位置に移動することができる。
【図面の簡単な説明】
【図１】本実施の形態における商品表示装置を備える自動販売機の斜視図である。
【図２】（ａ）はディスプレイ台を示す平面図、（ｂ）はディスプレイ台を示す正面図である。
【図３】図２（ｂ）のＡ−Ａ線端面拡大図である。
【図４】表示体を示す斜視図である。
【図５】（ａ）は駆動部を示す平面図、（ｂ）は駆動部を示す正面図、（ｃ）は駆動部を示す左側面図である。
【図６】（ａ）は従動部を示す平面図、（ｂ）は従動部を示す正面図、（ｃ）は従動部を示す右側面図である。
【図７】制御手段を示すブロック図である。
【図８】制御手段の動作を示すフローチャートである。
【符号の説明】
１９    表示体
１９ｂ    検出用穴部
２０    駆動手段
２０Ａ    駆動部
２０Ｂ    従動部
２１ａ    カバー
２１ｂ    ケース
２２    モータ
２２ａ    出力軸
２３    駆動プーリ（駆動体）
２３ａ    胴部
２３ｂ    中心軸
２３ｃ    係合穴
２３ｄ    突起部
２３ｅ    検出片
２４    支持プーリ
２５    基板
２６    駆動軸
２６ａ    Ｄカット部
２７    減速歯車機構
２８    支持体
２８ａ    上水平板、下水平板
２８ｂ    垂直板
２８ｃ    立片
２９    従動プーリ
２９ａ    胴部
２９ｂ    中心軸
３０    テンション機構
３１    長穴
３２    支持板
３２ａ    立片
３５    基準位置検出部
３５ａ    アクチュエータ
３６    回転検出部
３６ａ    アクチュエータ
４０    駆動案内部
４０Ａａ    上端ガイド
４０Ａｂ    下端ガイド
４０Ｂａ    上ガイド
４０Ｂａａ    斜面
４０Ｂｂ、４０Ｂｃ、４０Ｂｄ    下ガイド
４１    保持ガイド（検出案内部）
４１ａ    挿入穴
４２    送り案内部
４２Ａ    下端ガイド
４２Ｂａ    上端ガイド
４２Ｂｂ    下端ガイド
４２Ｃａ    上端ガイド
４２Ｃｂ    下端ガイド
【図１】
2004234358.tif 000003
【図２】
2004234358.tif 000004
【図３】
2004234358.tif 000005
【図４】
2004234358.tif 000006
【図５】
2004234358.tif 000007
【図６】
2004234358.tif 000008
【図７】
2004234358.tif 000009
【図８】
2004234358.tif 000010